(57)【要約】  本発明は、従来のレンズ及び方法と比較して向上した老眼の矯正方法を与えるコンタクトレンズの設計方法、及び該方法にしたがって設計されたコンタクトレンズを提供する。レンズ装用者に近方、中間、及び遠方視力における良好な両眼視力及び一定した性能を与えるように相乗的に機能するレンズペアを使用することにより、性能の向上及び設計時間の短縮化が図られることは本発明の発見の１つである。
2011516923.tif 000002
【特許請求の範囲】
【請求項１】
下記関係式を満たす第１のレンズと第２のレンズとを含むレンズペアであって：
【数１】
2011516923.tif 000037
式中、
【数２】
2011516923.tif 000038
は、約２．５〜６ｍｍの瞳孔径に対する両眼重み付け遠方比の平均値であり、
Ｒｘ（加入）は、患者の近方視力の矯正を与えるために遠用処方に加えられる加入度数をジオプターで表わしたものであり、
【数３】
2011516923.tif 000039
は、約２．５〜６ｍｍの瞳孔径に対する両眼重み付け近方比の平均値であり、
【数４】
2011516923.tif 000040
は、約２．５〜６ｍｍの瞳孔径に対する前記第１のレンズと前記第２のレンズとの間の遠方視力における視差の平均値であり、
【数５】
2011516923.tif 000041
は、約３．５〜約６ｍｍの瞳孔径に対する前記第１のレンズと前記第２のレンズとの間の近方視力における視差の平均値である、レンズペア。
【請求項２】
前記ペアが、約０．７５〜約２．５０ジオプターの範囲の加入度数、及び約−１２．００〜約＋８．００ジオプターの範囲の遠方度数を有するレンズのセットから選択される、請求項１に記載のレンズペア。
【請求項３】
前記レンズペアの少なくとも一方のレンズが、領域多焦点面である前面と、非球面である背面とを更に含む、請求項１に記載のレンズペア。
【請求項４】
前記前面の多焦点面が、近方視力及び遠方視力の矯正領域が交互に配された少なくとも５つの径方向に対称的な領域を含む領域多焦点面であり、前記背面が非球面である、請求項３に記載のレンズペア。
【請求項５】
前記背面が約７．８５ｍｍの半径及び−０．２６の円錐定数を有する、請求項４に記載のレンズペア。
【請求項６】
前記レンズペアの少なくとも一方のレンズが、遠方矯正領域及び近方矯正領域が交互に配された領域多焦点面である前面を含み、各近方矯正領域内に、前記遠方矯正領域の球面収差から約０．５〜約０．１ジオプター／ｍｍ２偏った球面収差が組み込まれている、請求項１に記載のレンズペア。
【請求項７】
前記レンズペアの少なくとも一方のレンズが、遠方矯正領域及び近方矯正領域が交互に配された領域多焦点面である前面を含み、球面収差が下記式：
ＳＡＲＸ＝ＳＡ０＋ｃ＊Ｒｘ（球面）
０．００４４＜ｃ＜０．００５２
［式中、ＳＡ０は、０．０ジオプターに等しいＲｘ（球面）の設計の球面収差であり、
ｃは、０．００４４〜０．００５２の値の定数である。］にしたがって前記遠方矯正領域にわたって調節される、請求項１に記載のレンズペア。
【請求項８】
前記レンズペアの少なくとも一方のレンズにおいて、前記レンズの背面が非球面である、請求項６又は７に記載のレンズペア。
【請求項９】
前記レンズペアが下記関係式：
ＳＴＤ（ＰＥ（ｒ））＜０．１５（１．２５＜ｒ＜３に対して）
［式中、ＳＴＤは標準偏差である。］を更に満たす、請求項１に記載のレンズペア。
【請求項１０】
単眼重み付け遠方比の平均値ｄＡ及び単眼重み付け近方比の平均値ｎＡを有する第１のレンズと、単眼重み付け遠方比の平均値ｄＢ及び単眼重み付け近方比の平均値ｎＢを有する第２のレンズと、単眼重み付け遠方比の平均値ｄＣ及び単眼重み付け近方比の平均値ｎＣを有する第３のレンズと、を含み、前記第１、第２及び第３のそれぞれのレンズは他のレンズのそれぞれと異なる屈折力プロファイルを有し、ｄＡ＞ｄＢ＞ｄＣかつｎＡ＜ｎＢ＜ｎＣである、コンタクトレンズのセット。
【請求項１１】
老眼を矯正するための方法であって、ａ）他のレンズのそれぞれの屈折力プロファイルとは異なる屈折力プロファイルをそれぞれが有する２以上のレンズを与える工程と、ｂ）工程ａ）で与えられた前記レンズから、レンズペアを構成する第１のレンズ及び第２のレンズを選択する工程と、を含み、前記第１のレンズと第２のレンズとのレンズペアは下記関係式：
【数６】
2011516923.tif 000042
［式中、
【数７】
2011516923.tif 000043
は、約２．５〜６ｍｍの瞳孔径に対する両眼重み付け遠方比の平均値であり、
Ｒｘ（加入）は、患者の近方視力の矯正を与えるために遠用処方に加えられる加入度数をジオプターで表わしたものであり、
【数８】
2011516923.tif 000044
は、約２．５〜６ｍｍの瞳孔径に対する両眼重み付け近方比の平均値であり、
【数９】
2011516923.tif 000045
は、約２．５〜６ｍｍの瞳孔径に対する前記第１のレンズと前記第２のレンズとの間の遠方視力における視差の平均値であり、
【数１０】
2011516923.tif 000046
は、約３．５〜約６ｍｍの瞳孔径に対する前記第１のレンズと前記第２のレンズとの間の近方視力における視差の平均値である。］を満たす、方法。
【発明の詳細な説明】
【技術分野】
【０００１】
本発明は、老眼の矯正に有用な眼科用レンズに関する。詳細には本発明は、その中からペアを選択することができるコンタクトレンズのセット、及び老眼を矯正する目的で人が装用するレンズのペアに関する。
【背景技術】
【０００２】
人が加齢するにしたがい、観測者に比較的近い物体に焦点を合わせるための調節力、すなわち水晶体を曲げる眼の能力が低下する。この状態は老眼として知られている。同様に、水晶体が切除され眼内レンズがその代わりに挿入されている人では調節力がない。
【発明の概要】
【課題を解決するための手段】
【０００３】
眼の調節力の障害を矯正するために使用される方法の１つとして、遠方視力を矯正するための単焦点レンズをレンズ装用者の優位眼に使用し、近方視力を矯正するための単焦点レンズを非優位眼に使用する、モノビジョンとして知られる方法がある。モノビジョンは立体視が損なわれるという問題点がある。老眼を矯正するための別の公知の方法として、患者の両眼に二焦点又は多焦点コンタクトレンズを使用することがある。両眼に二焦点又は多焦点コンタクトレンズを使用することにより、像のコントラスト及び解像度がモノビジョンと比較して低下する。老眼を治療するための更なる別の方法は、二焦点又は多焦点レンズを一方の眼に、単焦点レンズを他方の眼に使用することである。この方法の使用における問題点は、充分なレンズ性能を患者に与えるうえで多数のレンズを検討しなければならないことである。
【図面の簡単な説明】
【０００４】
【図１】屈折力プロファイルを示すグラフ。
【図２】本発明のレンズの屈折力プロファイルを示すグラフ。
【図３】本発明のレンズの屈折力プロファイルを示すグラフ。
【図４】本発明のレンズの屈折力プロファイルを示すグラフ。
【発明を実施するための形態】
【０００５】
本発明は、従来のレンズ及び方法と比較して向上した老眼の矯正方法を与えるコンタクトレンズの設計方法、該方法にしたがって設計されたコンタクトレンズ、並びに該レンズの製造方法を提供する。レンズ装用者に近方、中間、及び遠方視力における良好な両眼視力及び一定した性能を与えるように相乗的に機能するレンズペアを使用することにより、性能の向上及び設計時間の短縮化が図られることは本発明の発見の１つである。
【０００６】
一実施形態において、本発明は、下記関係式を満たす第１のレンズと第２のレンズと、を含む、それらから基本的に構成される、及びそれらから構成されるレンズペアを提供する。すなわち、
【数１】
2011516923.tif 000003
式中、
【数２】
2011516923.tif 000004
は、２．５〜６ｍｍの瞳孔径に対する両眼重み付け遠方比の平均値であり、
Ｒｘ（加入）は、患者の近方視力の矯正を与えるために遠用処方に加えられる加入度数をジオプターで表わしたものであり、
【数３】
2011516923.tif 000005
は、２．５〜６ｍｍの瞳孔径に対する両眼重み付け近方比の平均値であり、
【数４】
2011516923.tif 000006
は、約２．５〜６ｍｍの瞳孔径に対する第１のレンズと第２のレンズとの間の遠方視力における視差の平均値であり、
【数５】
2011516923.tif 000007
は、約３．５〜約６ｍｍの瞳孔径に対する第１のレンズと第２のレンズとの間の近方視力における視差の平均値である。
【０００７】
好ましい実施形態では、レンズペアは、約０．７５〜約２．５０ジオプターの加入度数の範囲を有するレンズのセットから選択される。
【０００８】
本発明は、更に、老眼を矯正するための方法であって、ａ．）他のレンズのそれぞれの屈折力プロファイルとは異なる屈折力プロファイルをそれぞれが有する２以上のレンズを与える工程と、ｂ．）工程ａ．）で与えられたレンズから、レンズペアを構成する第１のレンズ及び第２のレンズを選択する工程と、を含む、それらの工程から基本的になる、及びそれらの工程からなる方法であって、第１のレンズと第２のレンズとのレンズペアは下記関係式を満たす方法を提供する。すなわち、
【数６】
2011516923.tif 000008
【０００９】
更に別の実施形態では、本発明は、単眼重み付け遠方比の平均値ｄＡ及び単眼重み付け近方比の平均値ｎＡを有する第１のレンズと、単眼重み付け遠方比の平均値ｄＢ及び単眼重み付け近方比の平均値ｎＢを有する第２のレンズと、単眼重み付け遠方比の平均値ｄＣ及び単眼重み付け近方比の平均値ｎＣを有する第３のレンズと、を含む、それらから基本的に構成される、及びそれらから構成されるレンズのセットであって、第１、第２及び第３のそれぞれのレンズは他のレンズのそれぞれと異なる屈折力プロファイルを有し、ｄＡ＞ｄＢ＞ｄＣかつｎＡ＜ｎＢ＜ｎＣであるようなレンズセットを提供する。好ましい実施形態では、レンズセットは３個のレンズからなるセットである。
【００１０】
下記関係式を満たすレンズのペアを装用する人によって従来の多焦点レンズと比較して優れた性能を実現することができる点は本発明の発見の１つである。すなわち、
【数７】
2011516923.tif 000009
式中、
【数８】
2011516923.tif 000010
は、２．５〜６ｍｍの瞳孔径に対する両眼重み付け遠方比の平均値であり、
Ｒｘ（加入）は、患者の近方視力の矯正を与えるために遠用処方に加えられる加入度数をジオプターで表わしたものであり、
【数９】
2011516923.tif 000011
は、２．５〜６ｍｍの瞳孔径に対する両眼重み付け近方比の平均値であり、
【数１０】
2011516923.tif 000012
は、約２．５〜６ｍｍの瞳孔径に対する各レンズ間の遠方視力における視差の平均値であり、
【数１１】
2011516923.tif 000013
は、約３．５〜約６ｍｍの瞳孔径に対する各レンズ間の近方視力における視差の平均値である。
【００１１】
両眼重み付け遠方比（「Ｄ」）は、優位眼の重み付け遠方比（「ｄ１」）及び非優位眼の重み付け遠方比（「ｄ２」）の内の最大値である（Ｄ＝ｍａｘ（ｄ１，ｄ２））。重み付け近方比（「Ｎ」）は、優位眼の重み付け近方比（「ｎ１」）及び非優位眼の重み付け近方比（「ｎ２」）の内の最大値である（Ｎ＝ｍａｘ（ｎ１，ｎ２））。本発明の目的において、「優位眼」とは、眼科医により遠方視力について最適に矯正されるべき側の眼として判定される眼を意味し、非優位眼とは、近方視力について最適に矯正されるべき側の眼を指す。
【００１２】
単眼重み付け遠方及び近方比は、それぞれの眼について異なる瞳孔径に対して計算することができ、与えられたレンズ半径における屈折力がそれぞれレンズ装用者の遠近の必要条件をどの程度充分に満たしているかを示す目安となるものである。これらの比は、装用者の球面及び加入処方が与えられた場合に、単一のレンズが理想状態に対してどの程度充分な性能を有することが予想されるかを更に測定する。重み付け遠方及び近方比は、０〜１．０の範囲の値を有し、ここで０はレンズ装用者にとって必要な距離において効果がまったく得られないことを意味し、１．０はその距離においてレンズが装用者を完全に矯正することを意味する。回転対称な屈折力プロファイルでは、単眼重み付け遠方比は、レンズの半径にわたって積分することによって下記のように計算することができる。
【数１２】
2011516923.tif 000014
式中、Ｒは、瞳孔の半径であり、
Ｒｘ（球面）は、単眼重み付け比を計算しようとする眼について球面処方度数をジオプターで表わしたものであり、
ｔａｎｈは、双曲線正接であり、
Ｐ（ｒ）は下式によって与えられるレンズと眼を合わせた度数（屈折力）であり、
Ｐ（ｒ）＝ＰＣＬ（ｒ）＋ＳＡ眼＊ｒ２＋Ｆ
（ＩＩ）
［式中、ＳＡ眼は、眼の球面収差であって好ましくは０．１ジオプター／ｍｍ２である。］
Ｆは、公称値からの変化を意味するレンズフィットをジオプターで表わしたものであり、
ｒは、コンタクトレンズの中心からの径方向の距離であり、
ＰＣＬ（ｒ）は、コンタクトレンズの径方向の屈折力分布、すなわち屈折力プロファイルである。特定の設計に対して、屈折力分布は０．２５ジオプターずつ増える一連のＰＣＬ（ｒ）の値として与えられる。
【００１３】
レンズの径方向の屈折力分布すなわち屈折力プロファイル（ＰＣＬ（ｒ））は、空気中でのレンズの軸方向屈折力（axial power）であり、レンズの表面形状、厚さ、及び屈折率から計算することができる。径方向の屈折力分布は、波面を求めることが可能な干渉計により波面を測定することによっても最も正確に測定することができる。図１は、径方向の屈折力分布すなわち屈折力プロファイルの一例である。図に示されるように、横方向の軸すなわちｘ軸は、レンズの幾何学的中心からの径方向の距離を表わしている。縦方向の軸すなわちｙ軸はそれぞれの径方向の位置において眼の屈折力に加えられるレンズの屈折力を表わしている。
【００１４】
単眼重み付け近方比は、レンズの半径にわたって積分することによって下記のように計算することができる。
【数１３】
2011516923.tif 000015
式中、Ｒは、瞳孔の半径であり、
Ｒｘ（球面）は、単眼重み付け比を計算しようとする眼について球面処方度数をジオプターで表わしたものであり、
ｔａｎｈは、双曲線正接であり、
Ｐ（ｒ）は式ＩＩによって与えられるコンタクトレンズと眼を合わせた度数（屈折力）であり、
Ｒｘ（加入）は、患者の近方視力の矯正を与えるために遠用処方に加えられる加入度数をジオプターで表わしたものである。
【００１５】
非回転対称な屈折力プロファイルでは、単眼重み付け遠方比は、レンズの半径にわたって積分することによって下記のように計算することができる。
【数１４】
2011516923.tif 000016
式中、Ｒ、Ｒｘ（球面）、ｔａｎｈ、及びＰ（ｒ）は上記に述べたのと同様であり、
Φは極角である。
【００１６】
非回転対称な屈折力プロファイルに対する単眼重み付け近方比は、レンズの半径にわたって積分することによって下記のように計算することができる。
【数１５】
2011516923.tif 000017
【００１７】
対称な回折レンズでは、単眼重み付け遠方比は、レンズの半径にわたって積分することによって下記のように計算することができる。
【数１６】
2011516923.tif 000018
式中、ｍは回折次数であり、
Ｐｍ（ｒ）は、次数ｍへの屈折力プロファイルであり、
εｍは、次数ｍへの回折効率であり、
【数１７】
2011516923.tif 000019
は、１である。
式ＩＩ、ＩＶ及びＶを同様に変形することができる。
【００１８】
両眼重み付け遠方比Ｄ及び両眼重み付け近方比Ｎを用いれば、優位眼のレンズが処方球面度数に適合し、非優位眼のレンズが、処方された加入度数を球面度数に加えたものに適合するように球面収差補正を組み込んだレンズを用いることによって、老眼を矯正するためのレンズペアの最適な性能を得ることができる。この場合、Ｄ及びＮはいずれも１．０に等しい。このペアは遠方及び近方における両眼間の視差を許容することのできる患者においては最適な性能を与えるものであるが、視差を許容できない患者ではレンズの性能の測定は視差を考慮したものに拡張する必要がある。
【００１９】
遠方における視差Δｄ及び近方における視差Δｎは以下のように定義することができる。すなわち、
Δｄ＝｜ｄ１−ｄ２｜
Δｎ＝｜ｎ１−ｎ２｜
視差の測定値は視覚的快適性、立体視、及び視覚的歪みと相関を有する。
【００２０】
好ましい実施形態では、それぞれが他のレンズのそれぞれの屈折力プロファイルと異なる屈折力プロファイルを有し、すべてのレンズが下記関係式を満たすような３個のレンズのセットが与えられる。すなわち、
【数１８】
2011516923.tif 000020
【００２１】
本発明の目的において、「３個のレンズのセット」とは文字通り３個のレンズのみを意味するものではなく、所望の範囲にわたって球面度数及び加入度数を与える複数のレンズからそれぞれのサブセットがなるレンズの３つのサブセットを意味するものである。好ましくは各サブセットは−１２．００〜＋８．００ジオプターの範囲にわたり０．５０ジオプターずつ増加する球面度数と、０．７５〜２．５０ジオプターの範囲にわたり０．２５ジオプターずつ増加する加入度数とを与える複数のレンズからなる。より好ましくは、１つのレンズのサブセットが−１２．００〜＋８．００ジオプターの範囲にわたり０．５０ジオプターずつ増加する球面度数と、０．７５〜１．７５ジオプターの範囲にわたり０．２５ジオプターずつ増加する加入度数とを与え、第２のレンズのサブセットが−１２．００〜＋８．００ジオプターの範囲にわたり０．５０ジオプターずつ増加する球面度数と、０．７５〜２．５０ジオプターの範囲にわたり０．２５ジオプターずつ増加する加入度数とを与え、第３のレンズのサブセットが−１２．００〜＋８．００ジオプターの範囲にわたり０．５０ジオプターずつ増加する球面度数と、１．２５〜２．５０ジオプターの範囲にわたり０．２５ジオプターずつ増加する加入度数とを与える。
【００２２】
−３．００ジオプターの球面処方について各サブセットからのレンズの屈折力プロファイルの例を図２、３及び４に示す。これらの屈折力プロファイルによって例示されるレンズもｄＡ＞ｄＢ＞ｄＣかつｎＡ＜ｎＢ＜ｎＣを満たすものである。
【００２３】
これらの例示的レンズは、下記表１に示されるペアの組み合わせにおいてフィットしうる。表１の目的では、図２、３及び４のレンズはそれぞれ「Ａ」、「Ｂ」及び「Ｃ」として示している。表１中、第１の文字は優位眼で使用されるレンズを示し、第２の文字は非優位眼のレンズを示す。「＋」記号は、非優位眼のレンズが、眼科医によってその患者の遠方視力を最適に矯正するうえで必要とされる度数として求められる度数よりも更に０．２５ジオプター高い度数においてフィットすることを示す。
【表１】
2011516923.tif 000021
【００２４】
より好ましくは、本発明は、それぞれが他のレンズのそれぞれの屈折力プロファイルと異なる屈折力プロファイルを有し、すべてのレンズが下記関係式を満たすような３個のレンズのセットを提供する。すなわち、
【数１９】
2011516923.tif 000022
これにおいて、レンズの前面すなわち対物面は、領域多焦点面又は連続非球面多焦点面であり、レンズの背面すなわち対眼面は非球面である。「領域多焦点面」とは、１つの屈折力領域から別の屈折力領域へと移動する際に不連続性が存在することを意味する。非球面の背面は、幾何学中心からレンズの縁まで好ましくは約７．２０〜８．１０ｍｍ、より好ましくは７．８５ｍｍの半径を有し、−０．２６の円錐定数を有することが好ましい。
【００２５】
更により好ましい実施形態では、前面の多焦点面は近方矯正及び遠方矯正、又は近方、遠方及び中間矯正が交互に配された５つの径方向に対称的な領域を有し、非球面の背面は約７．２０〜８．１０ｍｍ、より好ましくは７．８５ｍｍの半径、及び−０．２６の円錐定数を有する。下記表２に、本実施形態の範囲内の３個のレンズＡ、Ｂ、及びＣのセットのより好ましい値を示す。
【表２】
2011516923.tif 000023
【００２６】
更により好ましい実施形態では、本発明は、それぞれが他のレンズのそれぞれの屈折力プロファイルと異なる屈折力プロファイルを有し、すべてのレンズが下記関係式を満たすような３個のレンズのセットを提供する。すなわち、
【数２０】
2011516923.tif 000024
これにおいて、前面は、近方領域の球面収差が遠方領域の球面収差よりも更に０．０５〜０．１ジオプター／ｍｍ２高くなるような球面収差が各領域に組み込まれた領域多焦点面である。また、多焦点面が連続面か非連続面であるかによらず、遠方及び近方の球面収差を下記式にしたがって調節することができる。すなわち、
ＳＡＲＸ＝ＳＡ０＋ｃ＊Ｒｘ（球面）
０．００４４＜ｃ＜０．００５２
式中、ＳＡ０は、０．０ジオプターに等しいＲｘ（球面）の設計の球面収差であり、
ｃは、０．００４４〜０．００５２、好ましくは０．００４８の値の定数である。これらの実施形態におけるレンズの背面は、約７．２０〜８．１０ｍｍ、より好ましくは７．８５ｍｍの半径、及び−０．２６の円錐定数を有する非球面であることが好ましい。
【００２７】
本発明の更なる別の実施形態では、それぞれが他のレンズのそれぞれの屈折力プロファイルと異なる屈折力プロファイルを有し、すべてのレンズが下記関係式を満たすような３個のレンズのセットが提供される。すなわち、
【数２１】
2011516923.tif 000025
式中、ＳＴＤは標準偏差であり、
ＰＥ（ｒ）は、下記式によって与えられるレンズと眼を合わせた有効屈折力である。
【数２２】
2011516923.tif 000026
式中、Ｐ（ｒ）は、式ＩＩによって与えられる眼におけるコンタクトレンズの屈折力である。こうした更なる制約条件により、設計の視覚的性能が瞳孔径に影響されにくくなる。
【００２８】
本発明の領域の設計では、第１の領域すなわちレンズの幾何学中心上に位置する領域は、遠方視力の矯正を与える領域でありうるかそうであることが好ましく、あるいはこの領域が近方又は中間視力の矯正を与えるものであってもよい。各レンズペアにおいて、第１の領域は同じであっても異なってもよい。同様に、連続的な非球面多焦点の設計では、各レンズペアの中心における矯正は同じであっても異なってもよく、遠方、中間及び近方の矯正から選択することができる。
【００２９】
本発明にしたがって設計することができるコンタクトレンズは、好ましくはソフトコンタクトレンズである。かかるレンズを製造するうえで適した任意の材料で形成されたソフトコンタクトレンズが好ましくは使用される。ソフトコンタクトレンズを形成するための例示的な材料としては、これらに限定されるものではないが、シリコーンエラストマー、参照することにより本明細書にその全容を援用する米国特許第５，３７１，１４７号、同第５，３１４，９６０号、及び同第５，０５７，５７８号に開示されているものを含む（これらに限定されない）シリコーン含有マクロマー、ヒドロゲル、シリコーン含有ヒドロゲルなど、並びにこれらの組み合わせを挙げることができる。より好ましくは、表面はシロキサンであるか、又はポリジメチルシロキサンマクロマー、メタクリルオキシプロピルポリアルキルシロキサン及びそれらの混合物、シリコーンヒドロゲル若しくはエタフィルコンＡなどのヒドロゲルを含むがこれらに限定されないシロキサン官能基を含む。
【００３０】
好ましいレンズ形成材料の１つとしてポリ２−ヒドロキシエチルメタクリレートポリマーがあるが、これは約２５，０００〜約８０，０００のピーク分子量及び約１．５未満〜約３．５未満の多分散度をそれぞれ有し、少なくとも１つの架橋可能な官能基が共有結合していることを意味する。この材料は、参照することにより本明細書にその全容を援用する米国特許第６，８４６，８９２号に述べられている。眼内レンズを形成するうえで適した材料としては、これらに限定されるものではないが、ポリメチルメタクリレート、ヒドロキシエチルメタクリレート、不活性透明プラスチック、シリコーンベースのポリマーなど、及びこれらの組み合わせが挙げられる。
【００３１】
レンズ形成材料の硬化は、これらに限定されるものではないが、熱硬化、放射線硬化、化学硬化、電磁放射硬化、これらに類する方法、及びこれらの組み合わせなどの任意の公知の手段によって行うことができる。レンズは紫外線を使用して、又は可視光の全スペクトルを使用して成形されることが好ましい。より詳細には、レンズ材料を硬化させるうえで適した正確な条件は、選択される材料及び形成されるレンズによって決まる。コンタクトレンズを含む（これに限定されない）眼科用レンズの重合化プロセスはよく知られている。好適なプロセスは、参照することにより本明細書にその全容を援用する米国特許第５，５４０，４１０号に開示されている。
【００３２】
〔実施の態様〕
（１）  下記関係式を満たす第１のレンズと第２のレンズとを含むレンズペアであって：
【数２３】
2011516923.tif 000027
式中、
【数２４】
2011516923.tif 000028
は、約２．５〜６ｍｍの瞳孔径に対する両眼重み付け遠方比の平均値であり、
Ｒｘ（加入）は、患者の近方視力の矯正を与えるために遠用処方に加えられる加入度数をジオプターで表わしたものであり、
【数２５】
2011516923.tif 000029
は、約２．５〜６ｍｍの瞳孔径に対する両眼重み付け近方比の平均値であり、
【数２６】
2011516923.tif 000030
は、約２．５〜６ｍｍの瞳孔径に対する前記第１のレンズと前記第２のレンズとの間の遠方視力における視差の平均値であり、
【数２７】
2011516923.tif 000031
は、約３．５〜約６ｍｍの瞳孔径に対する前記第１のレンズと前記第２のレンズとの間の近方視力における視差の平均値である、レンズペア。
（２）  前記ペアが、約０．７５〜約２．５０ジオプターの範囲の加入度数、及び約−１２．００〜約＋８．００ジオプターの範囲の遠方度数を有するレンズのセットから選択される、実施態様１に記載のレンズペア。
（３）  前記レンズペアの少なくとも一方のレンズが、領域多焦点面である前面と、非球面である背面とを更に含む、実施態様１に記載のレンズペア。
（４）  前記前面の多焦点面が、近方視力及び遠方視力の矯正領域が交互に配された少なくとも５つの径方向に対称的な領域を含む領域多焦点面であり、前記背面が非球面である、実施態様３に記載のレンズペア。
（５）  前記背面が約７．８５ｍｍの半径及び−０．２６の円錐定数を有する、実施態様４に記載のレンズペア。
（６）  前記レンズペアの少なくとも一方のレンズが、遠方矯正領域及び近方矯正領域が交互に配された領域多焦点面である前面を含み、各近方矯正領域内に、前記遠方矯正領域の球面収差から約０．５〜約０．１ジオプター／ｍｍ２偏った球面収差が組み込まれている、実施態様１に記載のレンズペア。
（７）  前記レンズペアの少なくとも一方のレンズが、遠方矯正領域及び近方矯正領域が交互に配された領域多焦点面である前面を含み、球面収差が下記式：
ＳＡＲＸ＝ＳＡ０＋ｃ＊Ｒｘ（球面）
０．００４４＜ｃ＜０．００５２
［式中、ＳＡ０は、０．０ジオプターに等しいＲｘ（球面）の設計の球面収差であり、
ｃは、０．００４４〜０．００５２の値の定数である。］にしたがって前記遠方矯正領域にわたって調節される、実施態様１に記載のレンズペア。
（８）  前記レンズペアの少なくとも一方のレンズにおいて、前記レンズの背面が非球面である、実施態様６又は７に記載のレンズペア。
（９）  前記レンズペアが下記関係式：
ＳＴＤ（ＰＥ（ｒ））＜０．１５（１．２５＜ｒ＜３に対して）
［式中、ＳＴＤは標準偏差である。］を更に満たす、実施態様１に記載のレンズペア。
（１０）  単眼重み付け遠方比の平均値ｄＡ及び単眼重み付け近方比の平均値ｎＡを有する第１のレンズと、単眼重み付け遠方比の平均値ｄＢ及び単眼重み付け近方比の平均値ｎＢを有する第２のレンズと、単眼重み付け遠方比の平均値ｄＣ及び単眼重み付け近方比の平均値ｎＣを有する第３のレンズと、を含み、前記第１、第２及び第３のそれぞれのレンズは他のレンズのそれぞれと異なる屈折力プロファイルを有し、ｄＡ＞ｄＢ＞ｄＣかつｎＡ＜ｎＢ＜ｎＣである、コンタクトレンズのセット。
【００３３】
（１１）  老眼を矯正するための方法であって、ａ）他のレンズのそれぞれの屈折力プロファイルとは異なる屈折力プロファイルをそれぞれが有する２以上のレンズを与える工程と、ｂ）工程ａ）で与えられた前記レンズから、レンズペアを構成する第１のレンズ及び第２のレンズを選択する工程と、を含み、前記第１のレンズと第２のレンズとのレンズペアは下記関係式：
【数２８】
2011516923.tif 000032
［式中、
【数２９】
2011516923.tif 000033
は、約２．５〜６ｍｍの瞳孔径に対する両眼重み付け遠方比の平均値であり、
Ｒｘ（加入）は、患者の近方視力の矯正を与えるために遠用処方に加えられる加入度数をジオプターで表わしたものであり、
【数３０】
2011516923.tif 000034
は、約２．５〜６ｍｍの瞳孔径に対する両眼重み付け近方比の平均値であり、
【数３１】
2011516923.tif 000035
は、約２．５〜６ｍｍの瞳孔径に対する前記第１のレンズと前記第２のレンズとの間の遠方視力における視差の平均値であり、
【数３２】
2011516923.tif 000036
は、約３．５〜約６ｍｍの瞳孔径に対する前記第１のレンズと前記第２のレンズとの間の近方視力における視差の平均値である。］を満たす、方法。
【図１】
2011516923.tif 000047
【図２】
2011516923.tif 000048
【図３】
2011516923.tif 000049
【図４】
2011516923.tif 000050
【国際調査報告】
2011516923.tif 000051
2011516923.tif 000052